(57)【要約】【課題】  タッチ操作についての表示設定を容易に変更することができる表示システムおよび表示プログラムを提供する。【解決手段】  表示システム１に、タッチ操作が予め定められる特定の条件を満たすか否かを判断する条件判断部１３５１と、他設定画像表示領域に他設定画像を表示させる他設定画像表示制御部１３５２と、他設定画像の表示中に位置情報が取得されたか否かを判断する第２取得判断部１３５３と、他設定画像の表示中に取得された位置情報が示す位置が他設定画像表示領域内であるか否かを判断する第２位置判断部１３５４と、他設定画像の表示中に取得された位置情報が示す位置が他設定画像表示領域内であるときに、表示設定格納部に格納される表示設定情報を、他設定画像によって表される他の表示設定情報へ変更する第２表示設定変更部１３５５とを設ける。【選択図】      図６
2012221066.tif 000002
【特許請求の範囲】
【請求項１】
画面に対するタッチ操作が行われたときに、各タッチ操作に対応する図形を、画像として画面に表示する表示システムにおいて、
画面に画像を表示する表示部と、
前記画面に対するタッチ操作が行われた位置を示す情報である位置情報を取得するタッチパネル部と、
前記表示部および前記タッチパネル部を制御する制御部であって、
複数の表示設定情報を記憶する全表示設定記憶部と、
タッチ操作と表示される図形との対応関係を、そのタッチ操作が行われる前に予め定める情報として、前記複数の表示設定情報のうちのいずれか１つの表示設定情報を格納する表示設定格納部と、
タッチ操作が行われたときに、そのタッチ操作についての位置情報が示す位置に、前記表示設定格納部に格納される表示設定情報に従って、そのタッチ操作に対応する図形を画像として表示させるタッチ操作画像表示制御部と、
前記表示設定格納部に格納される表示設定情報を変更するための変更部とを含む制御部とを備え、
前記変更部は、
タッチ操作が行われたときに、そのタッチ操作が予め定められる特定の条件を満たすか否かを判断する条件判断部と、
タッチ操作が予め定められる特定の条件を満たすときに、前記複数の表示設定情報のうちの前記表示設定格納部に格納される表示設定情報とは異なる他の表示設定情報を表した画像である他設定画像を、前記条件を満たすタッチ操作についての位置情報が示す位置からの距離が予め定められる特定範囲内の領域である他設定画像表示領域に、表示させる他設定画像表示制御部と、
前記他設定画像の表示中に位置情報が取得されたか否かを判断する取得判断部と、
前記他設定画像の表示中に位置情報が取得されたときに、その位置情報が示す位置が前記他設定画像表示領域内であるか否かを判断する位置判断部と、
前記他設定画像の表示中に取得された位置情報が示す位置が前記他設定画像表示領域内であるときに、前記表示設定格納部に格納される表示設定情報を、前記他設定画像によって表される他の表示設定情報へ変更する表示設定変更部とを含むことを特徴とする表示システム。
【請求項２】
前記全表示設定記憶部は、前記複数の表示設定情報として、４つ以上の表示設定情報を記憶し、
前記他設定画像表示制御部は、２つ以上、かつ、前記全表示設定記憶部に記憶される表示設定情報の総数よりも２つ小さい数以下の予め定められる数の、互いに重複しない前記他設定画像表示領域に、この予め定められる数の前記他設定画像をそれぞれ表示させ、
前記表示設定変更部は、前記他設定画像の表示中に取得された位置情報が示す位置が前記予め定められる数の前記他設定画像表示領域のうちのいずれか１つの領域内であれば、その１つの領域に表示される前記他設定画像によって表される他の表示設定情報へ、前記表示設定格納部に格納される表示設定情報を変更することを特徴とする請求項１に記載の表示システム。
【請求項３】
前記他設定画像表示制御部は、前記他設定画像の表示中に位置情報が取得された場合において、その位置情報が示す位置が前記他設定画像表示領域内であるときに、前記他設定画像の表示を終了させることを特徴とする請求項１または２に記載の表示システム。
【請求項４】
タッチパネル部および表示部を備えるコンピュータを、請求項１〜３のいずれか１つに記載の表示システムとして機能させることを特徴とする表示プログラム。
【発明の詳細な説明】
【技術分野】
【０００１】
本発明は、表示システムおよび表示プログラムに関する。
【背景技術】
【０００２】
近年、画像を表示するための表示装置を備え、画面に対してタッチ操作を行うことで、そのタッチ操作に応じて点や線などの図形を画面に描画する、電子黒板などの表示システムが普及しつつある。
【０００３】
電子黒板などの表示システムでは、タッチ操作に応じて描画される点・線の色や太さなどの表示設定を変更できるように、画面上の所定の領域に、複数の操作ボタン画像を含むツールバー画像を表示させる。ユーザは、ツールバー画像内のいずれか１つの操作ボタン画像に対してタッチ操作を行うことで、操作ボタン画像に対応する表示設定に変更することができ、その後のタッチ操作によって描画される点・線を、変更後の表示設定に基づく点・線にすることができる。
【０００４】
たとえば、特許文献１には、複数の操作ボタン画像を含むツールバー画像を表示する電子ボードシステムが記載されている。この電子ボードシステムは、ユーザがツールバー画像の周辺領域に対してタッチ操作を行い、タッチ操作を行ったまま移動すると、移動した位置にツールバー画像を表示するように構成されている。
【先行技術文献】
【特許文献】
【０００５】
【特許文献１】特開２０１０−２５７３００号公報
【発明の概要】
【発明が解決しようとする課題】
【０００６】
特許文献１に記載のような従来の表示システムでは、ユーザがタッチ操作を行っている位置とツールバー画像が表示されている位置とが大きく離れている場合、表示設定を変更するときに、ツールバー画像が表示されている位置までユーザが移動する必要がある。また、ユーザが身長の低い小児であり、画面の高い位置にツールバー画像が表示されている場合、ツールバー画像内の操作ボタン画像に対してユーザがタッチ操作を行うことができないので、表示設定を変更できないときがある。このように、従来の表示システムには、タッチ操作についての表示設定を容易に変更することができないという課題がある。
【０００７】
本発明は、上述した課題を解決するためのものであり、タッチ操作についての表示設定を容易に変更することができる表示システムおよび表示プログラムを提供することを目的とする。
【課題を解決するための手段】
【０００８】
本発明は、画面に対するタッチ操作が行われたときに、各タッチ操作に対応する図形を、画像として画面に表示する表示システムにおいて、
画面に画像を表示する表示部と、
前記画面に対するタッチ操作が行われた位置を示す情報である位置情報を取得するタッチパネル部と、
前記表示部および前記タッチパネル部を制御する制御部であって、
複数の表示設定情報を記憶する全表示設定記憶部と、
タッチ操作と表示される図形との対応関係を、そのタッチ操作が行われる前に予め定める情報として、前記複数の表示設定情報のうちのいずれか１つの表示設定情報を格納する表示設定格納部と、
タッチ操作が行われたときに、そのタッチ操作についての位置情報が示す位置に、前記表示設定格納部に格納される表示設定情報に従って、そのタッチ操作に対応する図形を画像として表示させるタッチ操作画像表示制御部と、
前記表示設定格納部に格納される表示設定情報を変更するための変更部とを含む制御部とを備え、
前記変更部は、
タッチ操作が行われたときに、そのタッチ操作が予め定められる特定の条件を満たすか否かを判断する条件判断部と、
タッチ操作が予め定められる特定の条件を満たすときに、前記複数の表示設定情報のうちの前記表示設定格納部に格納される表示設定情報とは異なる他の表示設定情報を表した画像である他設定画像を、前記条件を満たすタッチ操作についての位置情報が示す位置からの距離が予め定められる特定範囲内の領域である他設定画像表示領域に、表示させる他設定画像表示制御部と、
前記他設定画像の表示中に位置情報が取得されたか否かを判断する取得判断部と、
前記他設定画像の表示中に位置情報が取得されたときに、その位置情報が示す位置が前記他設定画像表示領域内であるか否かを判断する位置判断部と、
前記他設定画像の表示中に取得された位置情報が示す位置が前記他設定画像表示領域内であるときに、前記表示設定格納部に格納される表示設定情報を、前記他設定画像によって表される他の表示設定情報へ変更する表示設定変更部とを含むことを特徴とする表示システムである。
【０００９】
また本発明は、前記全表示設定記憶部は、前記複数の表示設定情報として、４つ以上の表示設定情報を記憶し、
前記他設定画像表示制御部は、２つ以上、かつ、前記全表示設定記憶部に記憶される表示設定情報の総数よりも２つ小さい数以下の予め定められる数の、互いに重複しない前記他設定画像表示領域に、この予め定められる数の前記他設定画像をそれぞれ表示させ、
前記表示設定変更部は、前記他設定画像の表示中に取得された位置情報が示す位置が前記予め定められる数の前記他設定画像表示領域のうちのいずれか１つの領域内であれば、その１つの領域に表示される前記他設定画像によって表される他の表示設定情報へ、前記表示設定格納部に格納される表示設定情報を変更することを特徴とする。
【００１０】
また本発明は、前記他設定画像表示制御部は、前記他設定画像の表示中に位置情報が取得された場合において、その位置情報が示す位置が前記他設定画像表示領域内であるときに、前記他設定画像の表示を終了させることを特徴とする。
【００１１】
また本発明は、タッチパネル部および表示部を備えるコンピュータを、前記表示システムとして機能させることを特徴とする表示プログラムである。
【発明の効果】
【００１２】
本発明によれば、画面に対するタッチ操作が特定の条件を満たすとき、他設定画像表示制御部は、そのタッチ操作が行われた位置からの距離が特定範囲内の他設定画像表示領域に、他設定画像を表示する。そして、表示中の他設定画像に対してタッチ操作が行われたとき、表示設定変更部は、表示設定格納部に格納される表示設定情報を、その他設定画像に対応する他の表示設定情報へ変更する。したがって、上記特定範囲外の位置に対してタッチ操作を行わなくても表示設定情報を変更することができるので、タッチ操作についての表示設定を容易に変更することができる。
【００１３】
また本発明によれば、他設定画像表示制御部は、２つ以上の他設定画像をそれぞれ表示させ、表示設定変更部は、表示される他設定画像のうちのいずれか１つに対してタッチ操作が行われたときに、表示設定格納部に格納される表示設定情報を、タッチ操作が行われた他設定画像に対応する他の表示設定情報へ変更する。したがって、表示設定格納部に格納される表示設定情報を、画面に表示される２つ以上の他設定画像に対応する２つ以上の他の表示設定情報のうち、任意の１つの他の表示設定情報へ、変更することができる。
【００１４】
また、他設定画像表示制御部が表示する他設定画像の数は、全表示設定記憶部に記憶される表示設定情報の総数よりも２つ小さい数以下である。すなわち、他設定画像表示制御部は、全表示設定記憶部に記憶される複数の表示設定情報のうちの一部の表示設定情報に対応する他設定画像を表示する。したがって、全部の他設定画像を表示する場合と比較して、他設定画像表示領域の総面積を小さくすることができる。
【００１５】
また本発明によれば、他設定画像に対してタッチ操作が行われ、それによって表示設定情報が変更されたときに、他設定画像表示制御部によって、他設定画像の表示を終了させることができる。
【００１６】
また本発明によれば、タッチパネル部および表示部を備えるコンピュータを前記表示システムとして機能させる表示プログラムを提供することができる。
【図面の簡単な説明】
【００１７】
【図１】表示システム１の外観を示す模式図である。
【図２】表示システム１の構成を示すブロック図である。
【図３】制御部１３の各機能を示すブロック図である。
【図４】第１変更部１３４の各機能を示すブロック図である。
【図５】全設定画像の一例を示す図である。
【図６】第２変更部１３５の各機能を示すブロック図である。
【図７】矩形状の設定画像表示領域について説明するための図である。
【図８】設定画像２００が表示されてからの処理を示すフローチャートである。
【発明を実施するための形態】
【００１８】
以下に、本発明の実施形態の１つである表示システム１について説明する。図１は、表示システム１の外観を示す模式図である。表示システム１は、たとえば、縦１００ｃｍ、横１５０ｃｍ程度の略矩形状の画面を有する電子黒板であり、タッチ操作されたときに、そのタッチ操作に対応する図形を、画像として画面に表示する。なお、縦方向はＹ方向であり、横方向はＸ方向である。
【００１９】
ここで、タッチ操作とは、表示システム１の画面への押圧が開始されてから押圧が終了されるまでの操作である。たとえば、ユーザが、指やスタイラスなどで画面を押圧し、押圧したまま押圧箇所をスライド移動させ、指やスタイラスなどを画面から離間させる一連の操作である。また、タッチ操作に対応する図形とは、より詳細には、タッチ操作による押圧箇所に対応する図形であり、たとえば、タッチ操作において押圧箇所が移動する場合、その移動する押圧箇所の軌跡を表した図形である。この場合、タッチ操作の軌跡を表した図形は線状である。なお、後述するように、タッチ操作に対応する図形は、タッチ操作の軌跡を表した図形だけではなく、タッチ操作と長さや半径とが対応する直線や円などの図形も含まれる。
【００２０】
上記のようにタッチ操作に対応する図形を画像として表示する公知のシステムとしては、従来公知のＰＣと、タッチパネル一体型ディスプレイＰＮ−Ｌ６００Ｂ（シャープ株式会社製）などの表示装置とから構成されるシステムを挙げることができる。本実施形態は、このようなシステムに、後述する各部１３１〜１３５の機能を発揮させるためのプログラムである表示プログラムを記憶させたものである。なお、本発明の他の実施形態としては、後述する各部１３１〜１３５の機能をそれぞれ発揮するＩＣ（Integrated Circuit）チップを備える表示装置であってもよい。また、本発明に係る表示システムは、電子黒板ではなく、携帯可能なタブレットＰＣ（Personal Computer）であってもよい。
【００２１】
図２は、表示システム１の構成を示すブロック図である。表示システム１は、表示部１１と、タッチパネル部１２と、制御部１３とを備える。
【００２２】
表示部１１は、たとえば、液晶ディスプレイ、ＥＬ（ElectroLuminescence）ディスプレイ、プラズマディスプレイなどであり、その画面に画像を表示する。なお、本発明の他の実施形態としては、表示部１１が、スクリーンを画面として、その画面に画像を投影するプロジェクタであってもよい。
【００２３】
タッチパネル部１２は、投影型静電容量方式タッチパネル、抵抗膜方式タッチパネル、赤外線遮断検出方式タッチパネルなどから構成され、タッチ操作が行われると、画面に対するタッチ操作が行われた位置を示す情報、すなわちタッチ操作により押圧された箇所を示す情報を取得する。タッチ操作により押圧される箇所はスタイラスやユーザの指の大きさの連続する領域となるので、位置情報は、より詳細には、その領域の代表位置、たとえば図心位置を示す情報として取得される。なお、本実施形態では、タッチパネル部１２は、離間した２つ以上の領域が押圧されるときに、それぞれの領域に対応する位置情報を取得可能な、いわゆるマルチタッチ操作が可能な投影型静電容量方式タッチパネルであるとする。
【００２４】
制御部１３は、ＣＰＵ（Central Processing Unit）などの制御演算回路、ＤＤＲ  ＳＤＲＡＭ（Double Data Rate Synchronous Dynamic Random Access Memory）などの揮発性メモリ、および、ＨＤＤ（Hard Disk Drive）などの不揮発性メモリから構成され、表示部１１およびタッチパネル部１２を制御する。制御部１３の不揮発性メモリには、本発明に係る表示プログラムが記憶され、これによって、制御部１３は、以下の各部１３１〜１３５の機能を発揮する。
【００２５】
図３は、制御部１３の各機能を示すブロック図である。制御部１３は、タッチ操作画像表示制御部１３１、全表示設定記憶部１３２、表示設定格納部１３３、第１変更部１３４、および第２変更部１３５の機能を有する。
【００２６】
タッチ操作画像表示制御部１３１は、タッチ操作情報管理部１３１１と、図形描画部１３１２とを含み、タッチ操作が行われたときに、そのタッチ操作についての位置情報が示す位置に、そのタッチ操作に対応する図形を、画像として表示させる。より詳細には、タッチ操作情報管理部１３１１は、タッチ操作による押圧箇所に対応する位置情報と、その位置情報が取得された時刻とを関連付けて記憶する。そして、図形描画部１３１２は、画面に所定の背景画像を表示させ、さらに、タッチ操作情報管理部１３１１に記憶される情報に基づいて、取得された時刻が早い順に、背景画像上において位置情報が示す位置に、タッチ操作に対応する図形を描画する。
【００２７】
タッチ操作に対応する図形の描画は、表示設定格納部１３３に格納される後述する表示設定情報に従って行われる。また、背景画像は、通常、白色の無地の画像であるけれども、それ以外の画像、たとえばユーザが選択した画像データに基づく画像であってもよい。なお、本実施形態において、マルチタッチ操作が行われた場合、図形描画部１３１２は、各タッチ操作についての各位置情報がそれぞれ示す位置に、図形をそれぞれ描画する。
【００２８】
全表示設定記憶部１３２は、複数の表示設定情報を記憶し、表示設定格納部１３３は、この複数の設定情報のうちのいずれか１つを格納する。表示設定格納部１３３に格納される表示設定情報は、タッチ操作と画面に表示される図形との対応関係を、そのタッチ操作が行われる前に予め１つに定める情報である。すなわち、タッチ操作が行われたとき、そのタッチ操作について位置情報が取得された時刻において表示設定格納部１３３に格納される表示設定情報に従って、図形描画部１３１２は、そのタッチ操作に対応する図形を描画する。
【００２９】
表示設定情報としては、たとえば、黒ペン設定情報、赤ペン設定情報、青ペン設定情報、消しゴム設定情報、太ペン設定情報、ブラシ設定情報、エアブラシ設定情報、直線設定情報、矩形設定情報、円形設定情報などが挙げられる。黒ペン設定情報は、図形描画部１３１２によって描画される図形を、所定の太さの黒色の線でタッチ操作の軌跡を表した図形に設定する情報である。赤ペン設定情報は、図形描画部１３１２によって描画される図形を、所定の太さの赤色の線でタッチ操作の軌跡を表した図形に設定する情報である。青ペン設定情報は、図形描画部１３１２によって描画される図形を、所定の太さの青色の線でタッチ操作の軌跡を表した図形に設定する情報である。
【００３０】
消しゴム設定情報は、図形描画部１３１２によって描画される図形を、所定の太さの線でタッチ操作の軌跡を表した図形に設定する情報であって、その線の各箇所の色を、その各箇所における背景画像の色と同じ色に設定する情報である。太ペン設定情報は、図形描画部１３１２によって描画される図形を、黒ペン設定情報における線よりも太い黒色の線でタッチ操作の軌跡を表した図形に設定する情報である。ブラシ設定情報は、図形描画部１３１２によって描画される図形を、所定の色のブラシでタッチ操作の軌跡を描いたような図形に設定する情報である。エアブラシ設定情報は、図形描画部１３１２によって描画される図形を、所定の色のエアブラシでタッチ操作の軌跡を描いたような図形に設定する情報である。
【００３１】
直線設定情報は、図形描画部１３１２によって描画される図形を、タッチ操作の開始位置と終了位置とを結ぶ所定の太さおよび色の線分に設定する情報である。矩形設定情報は、図形描画部１３１２によって描画される図形を、所定の太さおよび色の線分を４辺とする矩形であって、タッチ操作の開始位置と終了位置とを結ぶ線分を対角線とする矩形に設定する情報である。円形設定情報は、図形描画部１３１２によって描画される図形を、所定の太さおよび色の線を円周とする円形であって、タッチ操作の開始位置を円の中心とし、開始位置と終了位置とを結ぶ線分を円の半径とする円形に設定する情報である。
【００３２】
表示システム１の初期設定としては、これらの複数の表示設定情報のうち、たとえば、黒ペン設定情報が、表示設定格納部１３３に格納される。したがって、初期設定のままの状態でタッチ操作が行われた場合、そのタッチ操作の軌跡を表す図形が、所定の太さの黒色の線で画面に描画される。
【００３３】
第１変更部１３４および第２変更部１３５は、表示設定格納部１３３に格納される表示設定情報を変更する機能を有する。表示設定格納部１３３に格納される表示設定情報の変更後にタッチ操作が行われると、変更後の表示設定情報に従って、画像が表示される。本発明に係る表示システム１の特徴は、第２変更部１３５によって表示設定格納部１３３に格納される表示設定情報の変更を行うことが可能な点である。
【００３４】
まず、第１変更部１３４の機能について説明する。図４は、第１変更部１３４の各機能を示すブロック図である。第１変更部１３４は、全設定画像表示制御部１３４１と、第１取得判断部１３４２と、第１位置判断部１３４３と、第１表示設定変更部１３４４とを含む。
【００３５】
全設定画像表示制御部１３４１は、画面の所定の領域に、全表示設定記憶部１３２に記憶されるすべての表示設定情報をそれぞれ表した画像を含む画像である全設定画像を表示させる。なお、全設定画像表示制御部１３４１は、全設定画像を常に表示させなくてもよく、ユーザからの指示に従って、全設定画像の表示と非表示とを切り換えてもよい。
【００３６】
図５に、全設定画像の一例を示す。図５では、表示部１１の画面の左端に、黒ペン設定情報を表す黒ペン設定画像１００ａと、赤ペン設定情報を表す赤ペン設定画像１００ｂと、青ペン設定情報を表す青ペン設定画像１００ｃと、消しゴム設定情報を表す消しゴム設定画像１００ｄと、太ペン設定情報を表す太ペン設定画像１００ｅと、ブラシ設定情報を表すブラシ設定画像１００ｆと、エアブラシ設定情報を表すエアブラシ設定画像１００ｇと、直線設定情報を表す直線設定画像１００ｈと、矩形設定情報を表す矩形設定画像１００ｉと、円形設定情報を表す円形設定画像１００ｊと、それらを囲む枠線画像１００ｋとを含む全設定画像１００が表示されている。
【００３７】
第１取得判断部１３４２は、全設定画像表示制御部１３４１によって画面に全設定画像が表示されている間にタッチパネル部１２によって位置情報が取得されたか否かについて、判断を行う。第１位置判断部１３４３は、位置情報が取得されたと第１取得判断部１３４２が判断した場合、その位置情報が示す位置が、画面において、いずれかの表示設定情報を表した画像が表示されている領域内であるか否かについて、判断を行う。第１表示設定変更部１３４４は、領域内であると第１位置判断部１３４３が判断した場合、位置情報が示す箇所を含む領域に表示されている画像によって表される表示設定情報へ、表示設定格納部１３３に格納される表示設定情報を変更する。
【００３８】
したがって、第１変更部１３４によれば、たとえば、図５に示すように、表示部１１の画面上に全設定画像１００が表示されているときに、赤ペン設定画像１００ｂに対して、スタイラスＳによってタッチ操作が行われると、表示設定格納部１３３に格納される表示設定情報は赤ペン設定情報になる。
【００３９】
なお、複数の表示設定情報を表した画像に対して同時にタッチ操作が行われた場合には、第１表示設定変更部１３４４は、所定の条件に従って、その複数の表示設定情報のうちのいずれか１つを選択して、選択した表示設定情報へ、表示設定格納部１３３に格納される表示設定情報を変更する。たとえば、図５に示す黒ペン設定画像１００ａと、赤ペン設定画像１００ｂと、青ペン設定画像１００ｃと、消しゴム設定画像１００ｄとに対して、同時にタッチ操作が行われた場合、第１表示設定変更部１３４４は、図５において最も左側に表示される画像のうち最も上側に表示される画像によって表される表示設定情報を選択するという条件に従って、黒ペン設定画像１００ａによって表される黒ペン設定情報を選択し、選択した黒ペン設定情報へ、表示設定格納部１３３に格納される表示設定情報を変更する。
【００４０】
次に、本発明に係る表示システム１の特徴点である第２変更部１３５について説明する。図６は、第２変更部１３５の各機能を示すブロック図である。第２変更部１３５は、条件判断部１３５１と、他設定画像表示制御部１３５２と、第２取得判断部１３５３と、第２位置判断部１３５４と、第２表示設定変更部１３５５とを含む。
【００４１】
条件判断部１３５１は、タッチ操作情報管理部１３１１に記憶される情報を用いて、ユーザによって行われたタッチ操作が予め定められる特定の条件を満たすか否かを判断する。予め定められる特定の条件は、他設定画像表示制御部１３５２に後述する他設定画像を表示させるための条件である。予め定められる特定の条件としては、どのような条件であってもよいけれども、後述するように、特定の図形を描画しようとしてユーザがタッチ操作を行うときに他設定画像が表示されないような条件であることが好ましい。
【００４２】
本実施形態における予め定められる特定の条件は、予め定められる特定時間内に、予め定められる特定の範囲内で、タッチ操作が３回行われることである。より詳細には、１回目のタッチ操作の開始位置を中心とする予め定められる特定の範囲内に、１回目のタッチ操作の終了位置、２回目のタッチ操作の開始および終了位置、ならびに３回目のタッチ操作の開始位置および終了位置があり、１回目のタッチ操作の開始から３回目のタッチ操作の終了までの時間が、予め定められる特定時間内であることである。予め定められる特定時間は、たとえば、０．２秒〜１秒である。また、予め定められる特定の範囲は、画面上で０ｃｍ〜１ｃｍの距離の範囲であり、画面の画素ピッチを０．５ｍｍとすれば、この距離は０画素〜２０画素である。このように特定時間および特定の範囲が定められるのは、ユーザが、２点リーダ、３点リーダ、濁点などを描画しようとしてタッチ操作を行うときに、タッチ操作が予め定められる特定の条件を満たしてしまい、後述する他設定画像が表示されてしまうことを防ぐためである。
【００４３】
なお、タッチパネル部１２はマルチタッチ操作が可能な構成であるので、第１のユーザによって特定の範囲内で３回のタッチ操作が行われている間に、第２のユーザによって、予め定められる特定の範囲外で、タッチ操作が行われる場合も有り得る。このような場合であっても、条件判断部１３５１は、タッチ操作が予め定められる特定の条件を満たすと判断する。また、条件判断部１３５１は、３回のタッチ操作が条件を満たすと判断した場合、タッチ操作情報管理部１３１１に記憶される情報を用いて、その３回のタッチ操作によって画面上に描画された図形を消去することが好ましい。
【００４４】
他設定画像表示制御部１３５２は、タッチ操作が条件を満たすと条件判断部１３５１が判断した場合、タッチ操作情報管理部１３１１に記憶される情報および条件判断部１３５１の判断結果を用いて、そのタッチ操作についての位置情報が示す位置からの距離が予め定められる特定範囲内の領域を、設定画像表示領域として設定する。本実施形態では、予め定められる特定範囲内の領域は、Ｘ方向およびＹ方向に平行な辺を有し、対角線の長さが、画面上で５ｃｍ〜１５ｃｍ（画素ピッチを０．５ｍｍとすれば１００画素〜３００画素）となる矩形状の領域である。この矩形状の設定画像表示領域の中心点は、予め定められる特定の条件を満たした３回のタッチ操作のうちの１回目のタッチ操作の開始位置を中心として、半径が画面上で３０ｃｍ（画素ピッチを０．５ｍｍとすれば画素数では６００画素）となる円形状の領域内のいずれかの点である。
【００４５】
たとえば、上記円形状の領域の中心点と矩形状の設定画像表示領域の中心点とが一致するように、他設定画像表示制御部１３５２によって矩形状の設定画像表示領域が設定される。ただし、円形状の中心点が画面の端付近にある場合、その円形状の中心点と矩形状の設定画像表示領域の中心点とが一致するように矩形状の設定画像表示領域を設定すると、画面内に矩形状の設定画像表示領域全体が入らなくなるときが有り得る。したがって、このような場合は、画面内に矩形状の設定画像表示領域全体が入るように、矩形状の設定画像表示領域を平行移動させて設定する。
【００４６】
図７を用いて、矩形状の設定画像表示領域について説明する。図７では、ユーザのタッチ操作によって描画された図形を参照符号Ｐで示し、予め定められる特定の条件を満たす３回のタッチ操作のうちの１回目のタッチ操作が行われた箇所を参照符号Ｑで示し、上記円形状の領域をＲで示している。
【００４７】
他設定画像表示制御部１３５２は、表示部１１の画面上において、矩形状の設定画像表示領域の外縁に沿う、画面上で５ｍｍ〜２０ｍｍ（画素ピッチを０．５ｍｍとすれば１０画素〜４０画素）程度の太さの黒い線からなる矩形状の枠線画像２００ａを表示させる。また、他設定画像表示制御部１３５２は、矩形状の設定画像表示領域内に、Ｘ方向およびＹ方向に平行な辺を有する矩形状の自設定画像表示領域と、Ｘ方向およびＹ方向に平行な辺を有する矩形状の他設定画像表示領域であって、所定の数の他設定画像表示領域とを設定する。所定の数は、２つ以上かつ全表示設定記憶部１３２に記憶される表示設定情報の総数よりも２つ小さい数以下の数であれば、どのような数であってもよい。本実施形態では、所定の数は３である。
【００４８】
矩形状の自設定画像表示領域および３つの矩形状の他設定画像表示領域は、互いに重複しないように、画面上で５ｍｍ〜２０ｍｍ（画素ピッチを０．５ｍｍとすれば１０画素〜４０画素）程度の間隔で互いに離間して、Ｘ方向およびＹ方向を行方向および列方向とする２×２の行列状に並ぶように設定される。また、自設定画像表示領域および３つの矩形状の他設定画像表示領域は、互いに同じ大きさであり、かつ、対角線の長さが、矩形状の設定画像表示領域の対角線の長さの１／４よりも画面上で５ｍｍ〜２０ｍｍ（画素ピッチを０．５ｍｍとすれば１０画素〜４０画素）程度小さくなるように設定される。
【００４９】
図７に示すように、他設定画像表示制御部１３５２は、矩形状の自設定画像表示領域の外周を取り囲むように、画面上で５ｍｍ〜２０ｍｍ（画素ピッチを０．５ｍｍとすれば１０画素〜４０画素）程度の太さの黒い線からなる矩形状の枠線画像２００ｂを表示させ、自設定画像表示領域全体に亘って、自設定画像２００ｃを表示させる。自設定画像２００ｃは、表示設定格納部１３３に格納されている表示設定情報を表す画像である。図７では、表示設定格納部１３３に格納されている表示設定情報は黒ペン設定情報であるとして、黒ペン設定画像１００ａと同一の自設定画像２００ｃが、設定画像表示領域において左上に配置される自設定画像表示領域に表示されている。
【００５０】
また、図７に示すように、他設定画像表示制御部１３５２は、３つの他設定画像表示領域それぞれについて、各他設定画像表示領域全体に亘って、他設定画像２００ｄ，２００ｅ，２００ｆをそれぞれ表示させる。他設定画像２００ｄ〜２００ｆは、全表示設定記憶部１３２に記憶される表示設定情報のうち、表示設定格納部１３３に格納される表示設定情報とは異なる３つの表示設定情報をそれぞれ表した画像である。図７では、赤ペン設定画像１００ｂと同一の他設定画像２００ｄが、設定画像表示領域において右上に配置される他設定画像表示領域に表示され、青ペン設定画像１００ｃと同一の他設定画像２００ｅが、設定画像表示領域において左下に配置される他設定画像表示領域に表示され、消しゴム設定画像１００ｄと同一の他設定画像２００ｆが、設定画像表示領域において右下に配置される他設定画像表示領域に表示されている。
【００５１】
また、図７に示すように、他設定画像表示制御部１３５２は、矩形状の設定画像表示領域内において、自設定画像２００ｃおよび他設定画像２００ｄ〜２００ｆに重ならないように、スイッチ画像２００ｇを表示させる。スイッチ画像２００ｇについては後述する。
【００５２】
枠線画像２００ａ、枠線画像２００ｂ、自設定画像２００ｃ、他設定画像２００ｄ〜２００ｆ、およびスイッチ画像２００ｇを併せて、設定画像２００と総称する。すなわち、他設定画像表示制御部１３５２は、枠線画像２００ａ、枠線画像２００ｂ、自設定画像２００ｃ、他設定画像２００ｄ〜２００ｆ、およびスイッチ画像２００ｇを含む設定画像２００を、設定画像表示領域に表示させる。
【００５３】
図８に、設定画像２００が表示されてからの処理をフローチャートで示す。第２取得判断部１３５３は、他設定画像表示制御部１３５２によって画面上に他設定画像２００ｄ〜２００ｆが表示されている間にタッチパネル部１２によって位置情報が取得されたか否かについて、判断を行う（ステップＳ１）。第２位置判断部１３５４は、位置情報が取得されたと第２取得判断部１３５３が判断した場合、その位置情報が示す位置が、画面上において、いずれかの他設定画像表示領域内であるか否かについて、判断を行う（ステップＳ２）。たとえば、図７の場合、他設定画像２００ｄ〜２００ｆのいずれかに対してタッチ操作が行われたか否かについて、判断を行う。第２表示設定変更部１３５５は、他設定画像表示領域内であると第２位置判断部１３５４が判断した場合、位置情報が示す箇所を含む他設定画像表示領域に表示されている画像によって表される表示設定情報へ、表示設定格納部１３３に格納される表示設定情報を変更する（ステップＳ３）。
【００５４】
したがって、第２変更部１３５によれば、たとえば、図７に示すように、表示部１１の画面上に設定画像２００が表示されているときに、他設定画像２００ｄに対してタッチ操作が行われると、表示設定格納部１３３に格納される表示設定情報は赤ペン設定情報になる。なお、他設定画像表示制御部１３５２は、タッチ操作された位置が他設定画像表示領域内であると第２位置判断部１３５４が判断した場合、設定画像２００の表示を終了させる。
【００５５】
また、第２位置判断部１３５４は、位置情報が取得されたと第２取得判断部１３５３が判断したときに、その位置情報が示す位置が、画面上において、スイッチ画像２００ｇが表示されている領域内であるか否かについて判断を行い、他設定画像表示制御部１３５２は、スイッチ画像２００ｇが表示されている領域内であると第２位置判断部１３５４が判断すれば、設定画像２００の表示を終了させる。さらに、全設定画像１００が表示中の場合、第２位置判断部１３５４は、位置情報が取得されたと第２取得判断部１３５３が判断したときに、その位置情報が示す位置が、画面上において、全設定画像１００が表示されている領域内であるか否かについて判断を行い、他設定画像表示制御部１３５２は、全設定画像１００が表示されている領域内であると第２位置判断部１３５４が判断すれば、設定画像２００の表示を終了させる。
【００５６】
他設定画像の表示中に、複数の他設定画像に対して同時にタッチ操作が行われた場合には、第２表示設定変更部１３５５は、所定の条件に従って、その複数の他設定画像にそれぞれ対応する複数の表示設定情報のうちのいずれか１つを選択して、選択した表示設定情報へ、表示設定格納部１３３に格納される表示設定情報を変更する。たとえば、図７に示す、他設定画像２００ｄ〜２００ｆのすべてに対して同時にタッチ操作が行われた場合、第２表示設定変更部１３５５は、図７において最も左側に表示される他設定画像のうち最も上側に表示される他設定画像によって表される表示設定情報を選択するという条件に従って、他設定画像２００ｅによって表される青ペン設定情報を選択し、選択した青ペン設定情報へ、表示設定格納部１３３に格納される表示設定情報を変更する。
【００５７】
また、タッチパネル部１２はマルチタッチ操作が可能な構成であるので、第１のユーザが表示設定情報の変更のために他設定画像に対してタッチ操作をしようとするときに、他設定画像表示領域外において、第２のユーザが図形を描画するためのタッチ操作を行っている場合が有り得る。このような場合、第１のユーザが他設定画像に対してタッチ操作を行って表示設定情報を変更すると、表示設定情報の変更後は、第１のユーザのタッチ操作に対応する画像だけでなく、第２のユーザのタッチ操作に対応する画像も、変更後の表示設定情報に従って表示されることになる。すなわち、表示設定情報の変更は、すべてのユーザに適用される。なお、各ユーザが、表示システム１が各ユーザを識別するための電子スタイラスを用いてタッチ操作を行う場合は、ユーザごとに表示設定格納部１３３に表示設定情報を格納し、第１のユーザが表示設定情報の変更のために他設定画像に対してタッチ操作を行ったとき、第１のユーザについてのみ、表示設定格納部１３３に格納される表示設定情報を変更してもよい。
【００５８】
また、第２変更部１３５は、他設定画像の表示中に予め定められる特定の条件を満たすタッチ操作が行われたときに、表示中の他設定画像を、全表示設定記憶部１３２に記憶される表示設定情報のうち、表示設定格納部１３３に格納される表示設定情報および表示中の他設定画像によって表される他の表示設定情報とは異なる他の表示設定情報を表す他設定画像へ変更する機能を有していてもよい。
【００５９】
第２変更部１３５がこのような機能を有する場合、たとえば、第２取得判断部１３５３は、他設定画像表示制御部１３５２によって画面上に他設定画像２００ｄ〜２００ｆが表示されている間にタッチパネル部１２によって位置情報が取得されたか否かについて、判断を行う。第２位置判断部１３５４は、位置情報が取得されたと第２取得判断部１３５３が判断した場合、その位置情報が示す位置が、画面上において、設定画像表示領域から１ｍｍ〜１００ｍｍ（画素ピッチを０．５ｍｍとすれば２画素〜２００画素）程度離間した位置であるか否かについて、判断を行う。条件判断部１３５１は、設定画像表示領域から１ｍｍ〜１００ｍｍ程度離間した位置であると第２位置判断部１３５４が判断した場合、タッチ操作情報管理部１３１１に記憶される情報を用いて、３回のタッチ操作が予め定められる特定の条件を満たすか否かを判断する。そして、他設定画像表示制御部１３５２は、３回のタッチ操作が条件を満たすと条件判断部１３５１が判断した場合、３つの他設定画像表示領域それぞれについて、各他設定画像表示領域全体に亘って、他設定画像２００ｄ，２００ｅ，２００ｆとは異なる他設定画像をそれぞれ表示させる。
【００６０】
以上のように、本発明に係る表示システム１によれば、画面に対するタッチ操作が予め定められる特定の条件を満たすとき、他設定画像表示制御部１３５２は、そのタッチ操作が行われた位置からの距離が予め定められる特定範囲内の他設定画像表示領域に、他設定画像を表示する。そして、表示中の他設定画像に対してタッチ操作が行われたとき、第２表示設定変更部１３５５は、表示設定格納部１３３に格納される表示設定情報を、タッチ操作が行われた他設定画像に対応する他の表示設定情報へ変更する。したがって、表示システム１のユーザは、上記予め定められる特定範囲外の位置に対してタッチ操作を行わなくても、表示設定格納部１３３に格納される表示設定情報を変更することができるので、タッチ操作についての表示設定を容易に変更することができる。
【００６１】
また、表示システム１によれば、他設定画像表示制御部１３５２は、２つ以上の他設定画像をそれぞれ表示させ、第２表示設定変更部１３５５は、表示される他設定画像のうちのいずれか１つの画像に対してタッチ操作が行われたときに、表示設定格納部１３３に格納される表示設定情報を、タッチ操作が行われた他設定画像に対応する他の表示設定情報へ変更する。したがって、ユーザは、表示設定格納部１３３に格納される表示設定情報を、画面に表示される２つ以上の他設定画像に対応する２つ以上の他の表示設定情報のうち、任意の１つの他の表示設定情報へ、変更することができる。なお、本発明の他の実施形態としては、表示システムは、他設定画像を１つだけ表示するように構成されてもよい。
【００６２】
また、表示システム１によれば、他設定画像表示制御部１３５２が表示する他設定画像の数は、全表示設定記憶部１３２に記憶される表示設定情報の総数よりも２つ小さい数以下である。すなわち、他設定画像表示制御部１３５２は、全表示設定記憶部１３２に記憶される複数の表示設定情報のうちの一部の表示設定情報に対応する他設定画像を表示する。したがって、全部の他設定画像を表示する場合と比較して、他設定画像表示領域の総面積を小さくすることができる。なお、本発明の他の実施形態としては、表示システムは、全部の他設定画像を表示するように構成されてもよい。
【００６３】
また、表示システム１によれば、他設定画像に対してタッチ操作が行われ、それによって表示設定格納部１３３に格納される表示設定情報が変更されたときに、他設定画像表示制御部１３５２によって、他設定画像の表示を終了させることができる。
【００６４】
上記表示システム１の制御部１３に記憶される表示プログラムは、タッチパネル部および表示部を備えるコンピュータを表示システム１として機能させるプログラムである。この表示プログラムは、従来公知の、コンピュータ読み取り可能な記録媒体に記録できる。
【００６５】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００６６】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００６７】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００６８】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００６９】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００７０】
１  表示システム
１１  表示部
１２  タッチパネル部
１３  制御部
１３１  タッチ操作画像制御部
１３２  全表示設定記憶部
１３３  表示設定格納部
１３４  第１変更部
１３５  第２変更部
１３５１  条件判断部
１３５２  他設定画像表示制御部
１３５３  第２取得判断部
１３５４  第２位置判断部
１３５５  第２表示設定変更部
【図１】
2012221066.tif 000003
【図２】
2012221066.tif 000004
【図３】
2012221066.tif 000005
【図４】
2012221066.tif 000006
【図５】
2012221066.tif 000007
【図６】
2012221066.tif 000008
【図７】
2012221066.tif 000009
【図８】
2012221066.tif 000010